【事件の表示】
　特願２０１６−１６５２４６号「照明装置及び照明システム」拒絶査定不服審判事件〔平成３０年３月１日出願公開、特開２０１８−３２５６５号、請求項の数（１７）〕について、次のとおり審決する。
【結　論】
　原査定を取り消す。
　本願の発明は、特許すべきものとする。
【理　由】
第１　手続の経緯
　本願は、平成２８年８月２６日の出願であって、令和２年３月２４日付けで拒絶理由が通知され、同年４月１７日に意見書及び手続補正書が提出され、同年８月７日付けで拒絶理由が通知され、同年９月２日に意見書が提出されたが、同年１２月８日付けで拒絶査定（以下「原査定」という。）され、これに対して、令和３年１月２１日に拒絶査定不服審判の請求がされ、同年６月３日付けで拒絶理由が通知（以下「当審拒絶理由通知」という。）され、同年７月２９日に意見書及び手続補正書が提出されたものである。
第２　当審拒絶理由について
　当審では、請求項１に係る発明は、ユーザが手動で照明素子の制御内容を調整するものを含むものであり、発明の詳細な説明に記載したものでないから、この出願は、特許請求の範囲の記載が、特許法第３６条第６項第１号に規定する要件を満たしていない旨、及び、請求項１において、どのようにして、「制御部」が、別の部分の「照明設定部に入力された」「感想を示す」「第１主観的情報」を得ることができるのか不明であり、請求項１に係る発明は明確でないから、この出願は、特許請求の範囲の記載が、特許法第３６条第６項第２号に規定する要件を満たしていない旨の拒絶の理由を通知したが、令和３年７月２９日付けの手続補正により、発明の詳細な説明の段落【００３１】の記載等を根拠として、請求項１において、「照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す
照明設定部が送信した
　したがって、当審拒絶理由は解消した。
第３　原査定の概要
　原査定の概要は次のとおりである。
　この出願の以下の請求項に係る発明は、その出願前に日本国内又は外国において、頒布された以下の刊行物に記載された発明又は電気通信回線を通じて公衆に利用可能となった発明に基いて、その出願前にその発明の属する技術の分野における通常の知識を有する者（以下「当業者」ともいう。）が容易に発明をすることができたものであるから、特許法第２９条第２項の規定により特許を受けることができない。
・請求項　　１−３、５
・刊行物等　１−２
・請求項　　６−１２、１５−１６
・刊行物等　１−３
１．特開２０１５−２０７３８１号公報
２．特開２０１２−１６４４６６号公報
３．特開２０１５−４１６１２号公報
　以下、刊行物等１〜３をそれぞれ引用文献１〜３という。
第４　本願発明
　本願の請求項１〜１７に係る発明（以下それぞれ「本願発明１」〜「本願発明１７」という。）は、令和３年７月２９日付けの手続補正により補正された特許請求の範囲の請求項１〜１７に記載された事項により特定される次のとおりの発明である。
「　【請求項１】
　本体と、
　前記本体に取り付けられた照明素子と、
　照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す前記照明設定部が送信した第１主観的情報に基づいて第２の制御内容を決定し、前記第２の制御内容で前記照明素子を動作させる制御部と、を備える
　照明装置。
　　【請求項２】
　前記照明設定部は、入力部を有し、
　前記制御部は、前記入力部が予め決められた操作を受けることで、前記指示を前記照明設定部から受ける
　請求項１に記載の照明装置。
　　【請求項３】
　前記照明設定部は、表示部を有し、
　前記表示部は、前記制御部が前記照明素子を前記第１の制御内容で動作させた後に、ユーザに前記第１主観的情報を入力させるための表示をする
　請求項１又は２に記載の照明装置。
　　【請求項４】
　前記表示部は、前記制御部が前記照明素子を前記第２の制御内容で動作させた後に、ユーザに前記第２の制御内容に対するユーザの感想を示す第２主観的情報を入力させるための表示をし、
　当該表示には、前記制御部が前記照明素子を前記第１の制御内容で動作させた後に入力された前記第１主観的情報が含まれる
　請求項３に記載の照明装置。
　　【請求項５】
　前記所定のモードは、ユーザの起床予定時刻前に前記照明素子を特定の制御内容で動作させる起床モード、若しくは、ユーザの就寝予定時刻前に前記照明素子を特定の制御内容で動作させる就寝モード、又は、前記起床モード及び前記就寝モードの両方を含むモードである
　請求項１〜４のいずれか１項に記載の照明装置。
　　【請求項６】
　前記照明素子は、前記本体が建築物に取り付けられる方向である背面側を照明する第１の照明素子から構成される
　請求項１〜５のいずれか１項に記載の照明装置。
　　【請求項７】
　前記照明素子は、さらに、第２の照明素子から構成され、
　前記第１の照明素子及び前記第２の照明素子は、それぞれ独立して調色可能な照明素子である
　請求項６に記載の照明装置。
　　【請求項８】
　前記第２の照明素子は、前記背面側を照明する
　請求項７に記載の照明装置。
　　【請求項９】
　前記照明素子は、さらに、前記背面側とは反対の方向である前面側を照明する第３の照明素子から構成される
　請求項７又は８に記載の照明装置。
　　【請求項１０】
　前記制御部は、前記所定のモードにおいて、前記第１の照明素子及び前記第２の照明素子の少なくとも一方を駆動させ、前記第３の照明素子を駆動させない
　請求項９に記載の照明装置。
　　【請求項１１】
　前記制御部は、前記所定のモードにおいて、前記第１の照明素子及び前記第２の照明素子の少なくとも一方を駆動させ、前記第３の照明素子の明るさを徐々に低下させる
　請求項９に記載の照明装置。
　　【請求項１２】
　前記制御部は、前記所定のモードにおいて、前記第１の照明素子及び前記第２の照明素子の少なくとも一方を駆動させ、前記第３の照明素子の明るさを徐々に上昇させる
　請求項９に記載の照明装置。
　　【請求項１３】
　前記制御部は、
　前記第１主観的情報にユーザの好みの光が間接光であることを示す情報が含まれている場合には、前記第２の制御内容として、前記第３の照明素子の明るさを、前記第１の照明素子及び前記第２の照明素子の少なくとも一方の明るさよりも暗くし、
　前記第１主観的情報にユーザの好みの光が間接光でないことを示す情報が含まれている場合には、前記第２の制御内容として、前記第３の照明素子の明るさを、前記第１の照明素子及び前記第２の照明素子の少なくとも一方の明るさよりも明るくする
　請求項９〜１２のいずれか１項に記載の照明装置。
　　【請求項１４】
　前記制御部は、前記第１主観的情報にユーザが目覚めるときの前記照明素子が暗すぎることを示す情報が含まれている場合には、前記第１の照明素子及び前記第２の照明素子のうちの青色成分が少ない光を出力する照明素子に比べ、青色成分が多い光を出力する照明素子の、前記第１の制御内容での明るさに対する前記第２の制御内容での明るさの上昇率を大きくする
　請求項７〜１３のいずれか１項に記載の照明装置。
　　【請求項１５】
　請求項１〜１４のいずれか１項に記載の照明装置と、
　前記照明装置に無線又は有線により接続された前記照明設定部と、を備える
　照明システム。
　　【請求項１６】
　前記照明設定部は、携帯端末である
　請求項１５に記載の照明システム。
　　【請求項１７】
　本体と、
　前記本体に取り付けられた照明素子と、
　照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す第１主観的情報に基づく第２の制御内容で前記照明素子を動作させる制御部と、を備え、
　前記照明設定部は、表示部を有し、
　前記表示部は、
　前記制御部が前記照明素子を前記第１の制御内容で動作させた後に、ユーザに前記第１主観的情報を入力させるための表示をし、
　前記制御部が前記照明素子を前記第２の制御内容で動作させた後に、ユーザに前記第２の制御内容に対するユーザの感想を示す第２主観的情報を入力させるための表示をし、当該表示には、前記制御部が前記照明素子を前記第１の制御内容で動作させた後に入力された前記第１主観的情報が含まれる
　照明装置。」
第５　引用文献、引用発明等
１　引用文献１について
（１）引用文献１に記載された事項
　引用文献１には、図面とともに次の事項が記載されている（下線は当審が付した。以下同様である。）。
（１ａ）
「【０００５】
　しかしながら、上記照明器具においては、ユーザが就寝時刻や起床時刻、照明装置の点灯又は消灯開始時刻等を任意に設定できる一方で、ユーザは、設定された各時刻がユーザ自身の睡眠パターンに適合しているか否かを確認することができない。そのため、ユーザが、就寝時及び起床時において、上記照明器具によって快適で心地良い照明環境を十分に得られていないことがある。
【０００６】
　本発明は、上記課題を解決するものであり、
ユーザが、自身の就寝時及び起床時に適した照明環境を確認でき、それを実現することができる照明器具を用いた照明システムを提供する
・・・
【発明の効果】
【００２０】
　本発明によれば、照明器具の操作情報及び点灯情報からユーザの睡眠前から起床後の期間における
照明情報を、端末の表示部に表示するので、ユーザが、自身の就寝時及び起床時に適した照明環境を確認でき、それを実現することができる
（１ｂ）
「【発明を実施するための形態】
【００２２】
　本発明の一実施形態に係る照明システム１００について、図１乃至図７を参照して説明する。図１に示すように、本実施形態の照明システム１００は、天井面Ｃｅ（設置面）に取付けられるシーリングライト型の照明器具１を備える。照明器具１は、図示したようにベッドＢが置かれた寝室に好適に用いられ、壁面Ｗａや床面Ｆｌといった屋内全般に光を照射する。
【００２３】
　照明器具１は、ユーザ１０（１０ａ，１０ｂ）が端末１１を操作することで、その点灯を制御することができる。なお、本実施形態の照明器具１は、シーリングライト以外の照明器具として実現されてもよく、上記の各領域に夫々光を照射することができれば、例えば、ベースライト、ダウンライト又はスポットライトとして実現されてもよい。端末１１は、照明器具１の専用のリモートコントローラであってもよいし、スマートフオンやタブレット端末などの情報通信端末が用いられてもよい。また、端末１１は、インターネットＩＴを介して外部サーバ等の外部端末１２に接続されている。
【００２４】
　図２（ａ）乃至（ｃ）に示すように、
照明器具１
器具本体２と、
光源３と、
備え
【００２５】
　
光源３
ＬＥＤ群３ａ、３ｂが、同心円状に２列に配されて成る
【００２６】
　光源３のＬＥＤは、ＬＥＤチップの出射光の波長を変換する波長変換部材が被覆されて、ＬＥＤパッケージとして構成される。ＬＥＤチップには、例えば、青色光を放射するＧａＮ系青色ＬＥＤチップが用いられ、波長変換部材には、封止用の透光性樹脂材料に昼白色や電球色の光を出射できるようにするための蛍光体が混入されたものが用いられる。なお、光源３が照射する光の色温度は、昼光色〜電球色（色温度７１００Ｋ〜２６００Ｋ）であればよい。なお、相対的に高色温度の光を照射するＬＥＤ群３ａには、例えば、色温度６５００Ｋ程度の昼光色光を出射するＬＥＤチップが好適に用いられる。また、相対的に低色温度の光を照射するＬＥＤ群３ｂには、例えば、色温度２７００Ｋ程度の電球色光を出射するＬＥＤチップが好適に用いられる。これらＬＥＤ群３ａ及びＬＥＤ群３ｂの調光比を制御することにより、光源３は、照射される光の色温度を適宜に可変とすることができる。
【００２７】
　器具本体２は、上面（取引付け面）が天井面Ｃｅに対面した状態で天井面Ｃｅに取り付けられる上面視円形の板状部材であり、例えば、厚みの薄いダイカスト部材や、鉄板、アルミ板等で構成され、所定形状に一体成形されたものを含む。また、器具本体２の上面の中央部分には、取付金具（不図示）が設けられ、この取付金具が天井面Ｃｅに設けられた引掛シーリング等に接続される。一方、
天井面Ｃｅの反対側の面に光源３
配置される
【００２８】
　器具本体２の中央部には、施工面に設けられた給電コネクタ等に固定される給電部２１が設けられる。また、給電部２１の外周側には、光源３を点灯駆動するための点灯回路２２と、光源３のＬＥＤが実装される基板２３と、が設けられる。器具本体２は、所定の剛性を有するアルミニウム板又は鋼板等の板材を、上記形状にプレス及び切削加工することにより形成され、ＬＥＤ等が配置される面には可視光の反射率が高い白色塗料が塗布又は反射性金属材料が蒸着されていてもよい。
【００２９】
　給電部２１は、汎用のアダプタガイドであり、給電コネクタ等を介して商用交流電源に接続される。点灯回路２２は、給電部２１から供給された交流電流を光源３に適合する所定電圧の直流電流に変換及び整流するための、トランス、コンデンサ及び制御用ＩＣ等を備える。
【００３０】
　基板２３は、ガラスエポキシ樹脂等の絶縁材料から成り、ＬＥＤ３が実装される面に所定の配線パターンが形成されている。基板２３は、樹脂をベースとするもの、セラミックから成るもの、及びアルミ等の金属をベースとするものに加えて、フレキシブル基板等が用いられてもよい。
【００３１】
　点灯回路２２は、ユーザの操作に基づき、中心側のＬＥＤ群３ａ及び外周側のＬＥＤ群３ｂを夫々独立して点灯させることができるように構成されている。なお、各ＬＥＤ群３ａ、３ｂ内の各ＬＥＤが個別に又は複数にグルーピングされて更に細かい部分点灯又は間引き点灯等が可能なように構成されていてもよい。
【００３２】
　また、基板２３には、
各光源３を点灯制御するための制御部４０
制御部４０
端末１１から受信した無線信号に基づいて各光源３の点灯又は消灯を行う
【００３３】
　また、器具本体２の外周には、照明器具１が設けられた屋内に居る人の動作を検知するセンサ部６が設けられている。センサ部６は、照明器具１とは別体の構成であってもよい。このセンサ部６は、例えば、モーションセンサにより構成され、就寝者（ユーザ１０（図１も参照））の寝返り等の就寝中の体動を検知し、ユーザ１０の眠りの深さを検知する。また、ユーザ１０の動きから、ユーザ１０の入眠時刻を検知することもできる。
【００３４】
　光学部材４は、環状に配された複数のＬＥＤ３を一括して覆う樋状のレンズ部材であり、アクリル樹脂等の透光性樹脂により形成される。本実施形態において、光学部材４は、光源３の器具中央側のＬＥＤ群３ａ及び器具外周側のＬＥＤ群３ｂを一括して覆う半円樋状レンズ部材から成る。
【００３５】
　カバー５は、器具本体２の前面を覆うドーム形状とされ、例えば、アクリル樹脂等の透光性材料に光拡散性粒子又は顔料等を添加した樹脂材料から形成される。カバー５は、上記の光拡散性粒子又は顔料等の添加に換えて、透明なガラス板又は樹脂板の表面又は裏面に、サンドブラスト処理を施して粗面としたもの、又はシボ加工を施したもの、ディンプル加工等により微細な凹凸形状を形成したもの等であってもよい。
【００３６】
　図３に示すように、制御部４０は、時刻を計時するタイマ４２、及びタイマ４２で計時された時間に対する光源３の調光比等のデータや過去の照明情報等を記憶するメモリ４３を有する。また、照明器具１には、端末１１との間で制御信号等を送受信するための送受信部４４と、信号受信時に発信音を出力するブザー４５と、が設けられている。ブザー４５は、上記発信音に加えて、就寝者の目覚めを覚醒する覚醒刺激音を出力する。
【００３７】
　
端末１１は、就寝及び起床時における照明器具１の調光モードを設定するための入力部１３と、入力内容を表示する表示部１４と、照明器具１と通信するための送受信部１５
と、を備え
入力部１３
タッチパネル
から構成される
【００３８】
　照明器具１は、
ユーザ１０が端末１１を操作することにより、ユーザ１０が就寝する際に光源３の調光比を漸増的に高める起床制御モードと、ユーザ１０が起床する際に各光源３の調光比を漸増的に低めて所定時間後に消灯する入眠制御モードと、を実行する
【００３９】
　また、照明器具１は、メモリ４３に記憶された端末１１による操作情報及び照明器具１の点灯情報からユーザ１０の睡眠前から起床後の期間における照明情報を抽出する情報抽出部を有する。また、送受信部４４は、端末１１との間で上記照明情報を伝送する情報送受信部として機能する。なお、下記に説明する照明システム１００の動作は、照明器具１の制御部４０ではなく、端末１１の制御部１６によって実行されてもよい。
【００４０】
　ユーザ１０が日常の生活の中で、照明器具１を点灯又は消灯させる等の行動をすることにより、ユーザ１０に対する様々な照明情報が得られる。例えば、図４に示すように、ユーザ１０が、夜間に寝室に入室した際には、端末１１を用いて照明器具１を点灯させると、その点灯操作と操作時間（例えば、２３：００）が照明情報として得られる。また、ユーザ１０が就寝前に音楽を聞いたり、読書をする際に、照明器具１を所定の色温度（３０００Ｋ）及び調光比（５０％）で点灯させたときは、その時の照明環境の色温度及び調光比が照明情報として得られる。また、ユーザ１０が上記入眠制御モードを入力すると、その操作時刻（２３：３０）や、入眠制御モードでの調光比（１０％）、及び予め設定された消灯時刻（０：００）が照明情報として得られる。また、ユーザ１０が夜間にトイレに行く等により一時的に意識が覚醒して、照明器具１を点灯させると、その時刻（２：００）や色温度（３０００Ｋ）、調光比（５％）が照明情報として得られる。
【００４１】
　また、ユーザ１０が予め上記起床制御モードを設定している場合、起床制御モード起動時の時刻（６：００）、色温度（３０００Ｋ〜６５００Ｋ）、調光比（５％）が照明情報として得られる。また、実際に、ユーザ１０が起床した時や、寝室からの退出時にも上記と同様の照明情報が得られる。
【００４２】
　本実施形態においては、上述した照明情報を、
図５に示すような端末１１の表示部１４に表示することにより、ユーザ１０は自身の就寝時刻や起床時刻、照明装置の点灯又は消灯開始時刻等を確認することができ
【００４３】
　また、情報抽出部（マイコン４１）は、照明情報として、ユーザ１０の入眠前における照明器具１の色温度、照度及び照射時間から入眠前あかり量を算出し、
図６に示すように、表示部１４がこれを表示する。
ユーザ１０が入眠前に不適切な明りをどの程度浴びているかを定量化することで、ユーザ１０がその量を減らし、
【００４４】
　また、情報抽出部は、照明情報として、ユーザ１０の起床後における照明器具１の色温度、照度及び照射時間から算出される起床後あかり量を算出し、
図６に示したように、表示部１４がこれを表示する。
ユーザ１０が起床後に自身の意識を覚醒させる明りを、どの程度浴びているか定量化することで、ユーザ１０がその量を増やし、
【００４５】
　また、表示部１４は、上記起床制御モードにおける起床設定時刻を表示する。起床設定時刻は、特定の日にちに加えて、任意の期間毎の平均値で示され、例えば、ユーザが平日と休日の起床時刻のばらつきを知ることで、睡眠リズムを整えるのに役立てることができる。
【００４６】
　また、センサ部６は、ユーザ１０の就寝中の体動を検知することで就寝若しくは起床判定及び睡眠の深さを検知する。そして、情報抽出部は、起床設定時刻からセンサ部６により検知されたユーザ１０の起床時刻までの時間差から、ユーザ１０の目覚めに関する快適度を抽出し、表示部１４は、図７に示すように、その快適度を指標化して表示する。これに併せて、情報抽出部は、起床制御モード開始時からユーザ１０が起床するまでの間に、センサ部６が検知した就寝中の体動の回数から快適度を抽出し、
表示部１４は、その快適度を指標化して表示する。
【００４７】
　また、入眠制御モードでは、表示部１４は、照明情報として、照明器具１の消灯時刻を所定の期間で平均化して表示する（不図示）。また、センサ部６が、ユーザの入眠を検知する場合、情報抽出部は、入眠制御モードの開始時刻からセンサ部６により検知されたユーザ１０の入眠時刻までの時間から、ユーザの入眠に関する快適度を抽出し、表示部１４がこれを表示する（不図示）。なお、図６に示したように、表示部１４は、実際の入眠時刻の平均値を表示することもできる。これにより、ユーザ１０が、寝付くまでにかかった時間の平均を概ね知ることができ、例えば、お休み前の過ごし方の見直しや、実質睡眠時間の確保に役立てることができる。なお、表示部１４は、入眠制御モードの終了時刻からユーザ１０の起床時刻までの期間において、照明器具１が点灯していた時間又は点灯した回数を表示する（図６参照）。
【００４８】
　また、
端末１１の入力部１３は、
目覚め快適度
の星５段階評価
を入力することができ
ユーザ１０が、快適度と照明情報との相関を対比することで、ユーザ１０の睡眠・起床に関する実感と照明環境との関係を明確に知ることができる
（１ｃ）
　図１〜７は、以下のとおりである。
（２）引用文献１に記載された発明
ア
　図３から、「
制御部４０
を備え
照明器具１
ユーザ１０が端末１１を操作することにより
、
端末１１から受信した無線信号に基づいて
、
ユーザ１０が就寝する際に光源３の調光比を漸増的に高める起床制御モードと、ユーザ１０が起床する際に各光源３の調光比を漸増的に低めて所定時間後に消灯する入眠制御モードと
のいずれか
を実行する
ように、
各光源３の点灯又は消灯を行う
、
各光源３を点灯制御する制御部４０
イ
　上記ア、摘記（１ｂ）及び図１〜７（摘記（１ｃ）参照）から、引用文献１には、次の発明（以下「引用発明」という。）が記載されていると認められる。
　［引用発明］
「器具本体２と、
　ＬＥＤ群３ａ、３ｂが同心円状に２列に配されて成る、器具本体２の天井面Ｃｅの反対側の面に配置される光源３と、
　ユーザ１０が端末１１を操作することにより、端末１１から受信した無線信号に基づいて、ユーザ１０が就寝する際に光源３の調光比を漸増的に高める起床制御モードと、ユーザ１０が起床する際に各光源３の調光比を漸増的に低めて所定時間後に消灯する入眠制御モードとのいずれかを実行するように、各光源３の点灯又は消灯を行う、各光源３を点灯制御する制御部４０、
を備え、
　端末１１は、タッチパネルから構成される就寝及び起床時における照明器具１の調光モードを設定するための入力部１３と、入力内容を表示する表示部１４と、照明器具１と通信するための送受信部１５と、を備え、端末１１の入力部１３は、目覚め快適度の星５段階評価を入力することができ、ユーザ１０が、快適度と照明情報との相関を対比することで、ユーザ１０の睡眠・起床に関する実感と照明環境との関係を明確に知ることができる、
照明器具１。」
２　引用文献２について
　引用文献２には、図面とともに次の事項が記載されている。
（２ａ）
「【００１２】
　本発明は、上記従来の課題を考慮して、表示装置が置かれている空間の照明環境とは別に
３次元映像を視聴する視聴者が感じる照明環境を制御できる
・・・
【００３２】
　照明装置２Ａは、空間Ｒを照明する光源２１を含む。
光源２１
表示装置３Ａが表示する３次元映像のフレーム画像の切り換えに同期して点灯
（２ｂ）
「【００５１】
　本実施の形態１において、送信素子５３から送出される制御信号は、視聴者が
リモートコントローラー５Ａ
空間Ｒの照度を明るく感じさせるボタン５１
明暗の程度を上げる
空間Ｒの照度を暗く感じさせるボタン５２
明暗の程度を下げる
・・・
【００８０】
　
光源２１は、明暗調整部６６から入力されるオン信号およびオフ信号に従い明滅
・・・
【００９７】
　送信制御部５７は、視聴者が感じたいと所望する空間Ｒの明暗の程度の情報を蓄積している。
【００９８】
　例えば、明暗の程度を０から１の範囲（０のときに視聴者が最も暗く感じ、１のときに視聴者が最も明るく感じる）とした場合、送信制御部５７は、
空間Ｒの照度を明るく感じさせるボタン５１
明暗の程度を
上げ
空間Ｒの照度を暗く感じさせるボタン５２
明暗の程度を
下げ
（２ｃ）
　図１、図４は、以下のとおりである。
　【図１】
　【図４】
３　引用文献３について
　引用文献３には、図面とともに次の事項が記載されている。
（３ａ）
「【００２９】
　図２に示されるように、照明器具１０は、カバー３１と、フレーム３２と、器具本体２０と、間接光発光部３０ａおよび３０ｂと、直接光発光部４０と、制御部５０と、レンズ６０と、グローブ６５とを備える。また、
図２には、照明器具１０の点灯または消灯を制御するためのリモートコントローラ７０も図示されている。
・・・
【００３８】
　
制御部５０は、器具本体２０の下面の中央部分に設けられ、リモートコントローラ７０から受信した無線信号に基づいて間接光発光部３０ａおよび３０ｂ、並びに直接光発光部４０の点灯または消灯を行う。
・・・
【００５３】
　図６に示されるブロック図では、照明器具１０は、間接光発光部３０ａ（３０ｂ）と、直接光発光部４０と、制御部５０とを備える。また、
リモートコントローラ７０は、就寝設定部８０と、起床設定部９０と、送信部１００とを備える。
・・・
【００５８】
　一方、ユーザ２００が、
リモートコントローラ７０の起床設定部９０から起床希望時刻を設定した場合、送信部１００は、設定情報を照明器具１０の制御部５０に無線送信する。この結果、照明器具１０は、ユーザ２００を起床させるための起床制御を行う。
（３ｂ）
　図１、２及び６は、以下のとおりである。
第６　対比・判断
１　本願発明１について
（１）対比
　本願発明１と引用発明とを対比する。
ア
　引用発明の「器具本体２」は、本願発明１の「本体」に相当する。
イ
　ＬＥＤは照明素子といえるから、上記アを踏まえると、引用発明の「ＬＥＤ群３ａ、３ｂが同心円状に２列に配されて成る、器具本体２の天井面Ｃｅの反対側の面に配置される光源３」における「ＬＥＤ群３ａ、３ｂ」は、本願発明１の「前記本体に取り付けられた照明素子」に相当する。
ウ
（ア）
　引用発明の「端末１１」、「無線信号」及び「端末１１から受信した無線信号に基づ」くことは、それぞれ、本願発明１の「照明設定部」、「指示」及び「照明設定部から」「指示を受けること」に相当する。
（イ）
　引用発明の「ユーザ１０が就寝する際に光源３の調光比を漸増的に高める起床制御モード」及び「ユーザ１０が起床する際に各光源３の調光比を漸増的に低めて所定時間後に消灯する入眠制御モード」は、いずれも、本願発明１の「所定のモード」に相当する。
（ウ）
　上記（ア）、（イ）から、引用発明の「ユーザ１０が就寝する際に光源３の調光比を漸増的に高める起床制御モードと、ユーザ１０が起床する際に各光源３の調光比を漸増的に低めて所定時間後に消灯する入眠制御モードとのいずれかを実行するように、各光源３の点灯又は消灯を行う、各光源３を点灯制御する」ことは、「第１の制御内容で前記照明素子を動作させ」ることに相当する。
（エ）
　引用発明の「制御部４０」は、本願発明１の「制御部」に相当する。
（オ）
　上記（ア）〜（ウ）を踏まえると、引用発明の「ユーザ１０が端末１１を操作することにより、端末１１から受信した無線信号に基づいて、ユーザ１０が就寝する際に光源３の調光比を漸増的に高める起床制御モードと、ユーザ１０が起床する際に各光源３の調光比を漸増的に低めて所定時間後に消灯する入眠制御モードとのいずれかを実行するように、各光源３の点灯又は消灯を行う、各光源３を点灯制御する制御部４０」は、本願発明１の「照明設定部から前記照明素子を所定のモードで動作させるための指示を受けることで第１の制御内容で前記照明素子を動作させ」る「制御部」に相当する。
（カ）
　上記（オ）を踏まえると、引用発明の「ユーザ１０が端末１１を操作することにより、端末１１から受信した無線信号に基づいて、ユーザ１０が就寝する際に光源３の調光比を漸増的に高める起床制御モードと、ユーザ１０が起床する際に各光源３の調光比を漸増的に低めて所定時間後に消灯する入眠制御モードとのいずれかを実行するように、各光源３の点灯又は消灯を行う、各光源３を点灯制御する制御部４０」及び「端末１１は、タッチパネルから構成される就寝及び起床時における照明器具１の調光モードを設定するための入力部１３と、入力内容を表示する表示部１４と、照明器具１と通信するための送受信部１５と、を備え、端末１１の入力部１３は、目覚め快適度の星５段階評価を入力することができ、ユーザ１０が、快適度と照明情報との相関を対比することで、ユーザ１０の睡眠・起床に関する実感と照明環境との関係を明確に知ることができる」ことと、本願発明１の「照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す前記照明設定部が送信した第１主観的情報に基づいて第２の制御内容を決定し、前記第２の制御内容で前記照明素子を動作させる制御部」とは、「照明設定部から前記照明素子を所定のモードで動作させるための指示を受けることで第１の制御内容で前記照明素子を動作させる制御部」の限りにおいて、共通している。
エ
　引用発明の「照明器具１」は、本願発明１の「照明装置」に相当する。
　以上から、本願発明１と引用発明との一致点及び相違点は、以下のとおりである。
＜一致点＞
「本体と、
　前記本体に取り付けられた照明素子と、
　照明設定部から前記照明素子を所定のモードで動作させるための指示を受けることで第１の制御内容で前記照明素子を動作させる制御部と、を備える
　照明装置。」
＜相違点＞
　「照明設定部から前記照明素子を所定のモードで動作させるための指示を受けることで第１の制御内容で前記照明素子を動作させる、制御部」について、本願発明１では、照明設定部から前記照明素子を所定のモードで動作させるための指示を受けることで第１の制御内容で前記照明素子を動作させ、「次に前記指示を受けることで、前記照明設定部に入力された前記第１の制御内容に対するユーザの感想を示す前記照明設定部が送信した第１主観的情報に基づいて第２の制御内容を決定し、前記第２の制御内容で前記照明素子を動作させる」制御部であるのに対して、引用発明では、「制御部４０」がそのように特定されておらず、「端末１１は、タッチパネルから構成される就寝及び起床時における照明器具１の調光モードを設定するための入力部１３と、入力内容を表示する表示部１４と、照明器具１と通信するための送受信部１５と、を備え、端末１１の入力部１３は、目覚め快適度の星５段階評価を入力することができ、ユーザ１０が、快適度と照明情報との相関を対比することで、ユーザ１０の睡眠・起床に関する実感と照明環境との関係を明確に知ることができる」点。
（２）判断
　相違点について以下検討する。
ア
　引用発明の「目覚め快適度の星５段階評価」は、「起床制御モード」の照明内容に対するユーザの感想といえるから、本願発明１の「前記照明設定部に入力された前記第１の制御内容に対するユーザの感想を示す」「第１主観的情報」に相当する。
　引用発明では、「目覚め快適度の星５段階評価」を、「端末１１の入力部１３」から「入力する」と、それが「端末１１」の「表示部１４」に表示され、「ユーザ１０が、快適度と照明情報との相関を対比することで、ユーザ１０の睡眠・起床に関する実感と照明環境との関係を明確に知ることができる」（摘記（ａ）の「ユーザが、自身の就寝時及び起床時に適した照明環境を確認でき」るという課題を解決しているといえる。）が、その後、ユーザがどのようにして適した照明環境を実現するかについては、引用文献１に記載されていない。
　そして、引用発明の「目覚め快適度の星５段階評価」（「前記照明設定部に入力された前記第１の制御内容に対するユーザの感想を示す」「第１主観的情報」）が、「照明器具１」が「備え」る「制御部４０」に送信されることや、その送信された情報に基づいて照明が制御されることは、引用文献１には、記載も示唆もされていない。
イ
　本願発明１の「次に前記指示を受けること」は、「次に」「照明設定部から前記照明素子を所定のモードで動作させるための指示を受けること」を意味しているところ、引用文献２の「リモートコントローラー５Ａ」の「空間Ｒの照度を明るく感じさせるボタン５１」及び「空間Ｒの照度を暗く感じさせるボタン５２」は、「明暗の程度」を上げたり下げたりするものであるから（摘記（２ｂ）参照）、いずれも、所定のモード（摘記（１ｂ）を参照すると、「光源２１」が「表示装置３Ａが表示する３次元映像のフレーム画像の切り換えに同期して点灯し」た時のモードといえる。）を変更するためのボタンであって、最初に点灯させる、すなわち、最初に所定のモードで動作させるための指示を受けるボタンではないから、上記の「ボタン５１」や「ボタン５２」を操作しても、「照明装置２Ａ」は、本願発明１で特定している、「次に」「照明設定部から前記照明素子を所定のモードで動作させるための指示を受けること」はない。
　要するに、引用文献２の「空間Ｒの照度を明るく感じさせるボタン５１」及び「空間Ｒの照度を暗く感じさせるボタン５２」は、最初に、照明素子を所定のモードで動作させるための指示を受けるボタンではなく、これらのボタンを操作しても、照明素子が点灯して所定のモードで動作することはない。
　また、引用文献２の「リモートコントローラー５Ａ」の「空間Ｒの照度を明るく感じさせるボタン５１」及び「空間Ｒの照度を暗く感じさせるボタン５２」の操作により、空間の「明暗の程度」（本願発明１の「照明の制御内容」といえる。）に対する、ユーザの感想を示す主観的情報が送信される得ることがあるとしても、この空間の「明暗の程度」（照明の制御内容）は、「リモートコントローラー５Ａ」に入力されたものではないから、引用文献２は、上記相違点に係る本願発明１の「前記照明設定部に入力された前記第１の制御内容に対するユーザの感想を示す」「第１主観的情報」を有しているものではない。
ウ
　上記ア、イ及び摘記（３ａ）、（３ｂ）のとおりであって、「次に前記指示（次に照明設定部から前記照明素子を所定のモードで動作させるための指示）を受けることで、前記照明設定部に入力された前記第１の制御内容に対するユーザの感想を示す前記照明設定部が送信した第１主観的情報に基づいて第２の制御内容を決定し、前記第２の制御内容で前記照明素子を動作させる」ことは、下位の請求項のために引用された引用文献３を含むいずれの引用文献にも記載も示唆もされていないし、引用発明に引用文献２に記載された技術事項を適用しても、引用発明の「制御部４０」は、「次に前記指示（次に照明設定部から前記照明素子を所定のモードで動作させるための指示）を受けることで、・・・前記照明設定部が送信した第１主観的情報に基づいて第２の制御内容を決定し、前記第２の制御内容で前記照明素子を動作させる」制御部にはならない。
エ
　したがって、本願発明１は、引用発明及び引用文献２ないし３に記載された技術事項に基いて、当業者が容易に発明をすることができたものであるとはいえない。
オ
　そして、本願発明１は、「照明素子の制御内容を容易にユーザ好みのものにすることができる」（本願明細書の段落【０００８】）という格別に顕著な作用効果を奏するものである。
２　本願発明２〜１７について
　本願発明２、３、５〜１２、１５及び１６は、本願発明１の発明特定事項を全て含み、さらに請求項２、３、５〜１２、１５及び１６の発明特定事項を付加して限定したものであるから、上記１と同じ理由により、引用発明及び引用文献２ないし３に記載された技術事項に基いて、当業者が容易に発明をすることができたものであるとはいえない。
　また、本願発明４、１３、１４及び１７は、拒絶査定で示されたとおり、拒絶の理由を発見しないものである。
３　まとめ
　上記１、２のとおりであるから、本願発明１〜１７は、引用発明及び引用文献２ないし３に記載された技術事項に基いて、当業者が容易に発明をすることができたものであるとはいえない。
　したがって、本願発明１〜３、５〜１２、１５及び１６について特許を受けることができないとした原査定を維持することはできない。
第７　むすび
　以上のとおり、原査定の理由及び当審の理由によっては、本願を拒絶すべきものとすることはできない。
　また、他に本願を拒絶すべき理由を発見しない。
　よって、結論のとおり審決する。